(57)【要約】  【課題】転写具全体としてのサイズをより小さく構成し得る転写具を提供する。  【解決手段】筐体３に取り付けられ転写物たる修正剤ｓを転写対象物Ｐへ転写し得るようにテープｔを支持する転写ヘッド４を、巻回軸部２において巻回したテープｔの幅方向中心よりも位相を変位させた位置に位置付けたものとしている。加えて、筐体３の内部において巻回軸部２と転写ヘッド４との間でテープｔを案内する変位案内機構１を具備することを特徴とするものである。  【選択図】図３
2008080659.tif 000002
【特許請求の範囲】
【請求項１】
表面側に転写物を設けた転写テープを構成し得るテープを巻回する巻回軸部と、
当該巻回軸部を収容且つ支持する筐体と、
前記筐体に取り付けられ前記転写物を転写対象物へ転写し得るように前記テープを支持し且つ前記巻回軸部において巻回した前記テープの幅方向中心によってなる仮想の平面よりも位相を変位させた位置に位置付けた転写ヘッドと、
前記筐体の内部において前記巻回軸部と前記転写ヘッドとの間で前記テープを案内する変位案内機構とを少なくとも具備することを特徴とする転写具。
【請求項２】
前記変位案内機構を、前記巻回軸部におけるテープの幅方向端部を超えた位置まで位相を異ならせて前記テープを案内するものとしている請求項１記載の転写具。
請求項１記載の転写具。
【請求項３】
前記変位案内機構を、前記巻回軸部の軸方向から偏向した角度で前記テープを折返し支持し得る偏向支持面を有する偏向支持部を有するものとしている請求項１又は２記載の転写具。
【請求項４】
前記変位案内機構を、前記巻回軸部と前記転写ヘッドとの間で前記テープの幅方向における一端側を案内する一端側案内寸法と他端側を案内する他端側案内寸法とが等しくなるように構成している請求項３記載の転写具。
【請求項５】
前記巻回軸部からテープが接合する巻回軸部接合線がなす角度と、巻回軸部の軸芯がなす角度とを異ならせて設けている請求項３記載の転写具。
【請求項６】
前記偏向支持部を、前記テープを所定角度折り返して案内し得る偏向軸を有するものとしている３、４又は５記載の転写具。
【請求項７】
前記偏向支持部を、前記偏向軸で９０°以上折り返し得るものとしている請求項６記載の転写具。
【請求項８】
前記偏向支持部を、前記巻回軸部の周縁に沿ってテープを案内するものとしている請求項６記載の転写具。
【請求項９】
前記巻回軸部を前記転写ヘッドに支持されたテープを巻き取り得る巻取軸部とし、
前記変位案内機構を前記転写ヘッドから前記巻取軸部まで前記テープを案内し得るものとしている請求項３、４、５、６、７又は８記載の転写具。
【請求項１０】
前記変位案内機構を、前記テープの裏面側から支持するものとしている請求項９記載の転写具。
【請求項１１】
前記巻回軸部を前記転写ヘッドへ前記テープを送り出し得る巻出軸部とし、前記変位案内機構を前記巻出軸部から前記転写ヘッドまで前記テープを案内し得るものとしている請求項３、４、５、６、７、８、９又は１０記載の転写具。
【請求項１２】
前記転写ヘッドを、当該転写ヘッド及び前記テープが接し得る転写ヘッド接合線と、前記巻回軸部からテープが接合する巻回軸部接合線とが略直角をなすものとし、
前記変位案内機構を、前記転写ヘッド接合線から前記巻回軸部接合線まで前記テープを略直角に旋回させて案内し得るものとしている請求項１、２、３、４、５、６、７、８、９、１０又は１１記載の転写具。
【請求項１３】
前記変位案内機構を、前記転写ヘッド接合線から前記巻回軸部接合線までの間の所定角度で前記テープを案内し得る旋回補助部を有するものとしている請求項１、２、３、４、５、６、７、８、９、１０、１１又は１２記載の転写具。
【請求項１４】
前記転写テープを、前記テープの表面側に修正剤を設けた修正テープとしている請求項１、２、３、４、５、６、７、８、９、１０、１１、１２又は１３記載の転写具。
【発明の詳細な説明】
【技術分野】
【０００１】
本発明は、紙などの転写対象物に転写物を転写する転写具に関するものである。
【背景技術】
【０００２】
従来、例えば紙などの転写対象物に白色のなした修正剤を塗布し得る修正テープといった転写テープや、粘着剤を好適に転写し得る転写テープを具備している転写具が種々提案されている（例えば、特許文献１参照）。
【０００３】
これらのものは、筐体内に転写テープを巻回した巻回軸部を収容支持し、当該巻回軸からテープを転写ヘッドまで案内する際に、転写テープの幅方向中心線に沿った仮想の平面上に転写テープを案内する構成を有している。よって、巻回軸に巻回された転写テープの幅方向である転写具の厚み方向の中心と、転写ヘッドの同じく厚み方向の中心とが略合致させた配置をなしているのが通例である。
【特許文献１】登録実用新案２５４４０３０号公報
【発明の開示】
【発明が解決しようとする課題】
【０００４】
しかしながら、転写具にはテープを支持している軸を回転させる為のギアやプーリ、ベルト等の機構部品を筐体の厚み方向に設けた場合、転写ヘッドを仮想の平面に沿って設けた場合には、実際には筐体の厚み方向中心から位相がずれて設けられていることとなる。そうなると、転写ヘッドが筐体の厚み寸法からはみ出すことを回避するために、いきおい全体としての厚み寸法を増大させる要因ともなっている。
【０００５】
本発明は、このような不具合に着目したものであり、転写具全体としてのサイズを小さく構成し得る転写ヘッドを所要の位置に配置し得る転写具を提供する。
【課題を解決するための手段】
【０００６】
本発明は、このような目的を達成するために、次のような手段を講じたものである。すなわち、本発明に係る転写具は、表面側に転写物を設けた転写テープを構成し得るテープを巻回する巻回軸部と、当該巻回軸部を収容且つ支持する筐体と、前記筐体に取り付けられ前記転写物を転写対象物へ転写し得るように前記テープを支持し且つ前記巻回軸部において巻回した前記テープの幅方向中心によってなる仮想の平面よりも位相を変位させた位置に位置付けた転写ヘッドと、前記筐体の内部において前記巻回軸部と前記転写ヘッドとの間で前記テープを案内する変位案内機構とを少なくとも具備することを特徴とする。
【０００７】
このようなものであれば、転写ヘッドの位置を巻回軸部に巻回したテープの幅方向中心によって形成される仮想の平面から位相を変位させて転写ヘッドを構成することによって、転写ヘッドを厚み方向において所望の位置に配し得る構成とすることができる。そうすることによって、転写ヘッドの厚み方向の位置を適宜設定することによって、転写具を構成する厚み寸法を有効に減らすことも可能となり、よりコンパクトな転写具を構成し得るものとなる。
【０００８】
そして、より好適な位置に転写ヘッドを位置付けるためには、変位案内機構を、巻回軸部におけるテープの幅方向端部を超えた位置まで位相を異ならせてテープを案内することが好ましい。
【０００９】
特に、転写ヘッドを上述した仮想の平面から位相をずらせて設けようとすると、巻回軸と転写ヘッドとの間で好適にテープの位相をずらせることとなるが、そうすると、テープの一端側或いは他端側が弛むことを回避する為、巻回軸部と転写ヘッドとの距離を十分に確保しなければならず、いきおい筐体自体のサイズのコンパクト化に支障を来すことも考えられる。そこで本発明に係る転写具は、転写ヘッドの位置に応じてテープを弛ませずに好適に案内し得るものとするためには、変位案内機構を、巻回軸部の軸方向から偏向した角度でテープを折返し支持し得る偏向支持面を有する偏向支持部を有するものとすることが望ましい。
【００１０】
偏向支持部によってテープを案内する際、テープを弛ませることをさらに有効に回避し得る構成として、巻回軸部から転写ヘッドまでテープの幅方向における一端側を案内する一端側案内寸法と他端側を案内する他端側案内寸法とが等しくなるように変位案内機構を構成することが望ましい。
【００１１】
また或いは、前記巻回軸部からテープが接合する巻回軸部接合線がなす角度と、巻回軸部の軸芯がなす角度とを異ならせて設けたものとしても、テープの一端側或いは他端側が弛んでしまうことを有効に回避し得るものとなる。
【００１２】
テープを所望の方向・位置へ好適に案内するためには、偏向支持部を、テープを所定角度折り返して案内し得る偏向軸を有するものとすることが望ましい。ここで偏向軸は１本に限られず、複数の偏向軸を設けたものとしても良い。
【００１３】
筐体内の空間を有効に利用しながらテープを案内し得る構成として、偏向支持部を、偏向軸で９０°以上に折り返す構成や、テープを巻回軸部の周縁に沿って案内する構成を挙げることができる。
【００１４】
そして巻回軸部を転写ヘッドに支持されたテープを巻き取り得る巻取軸部とした場合には、変位案内機構は転写ヘッドから巻取軸までテープを案内し得るものとすることによって、転写物を転写した後のテープを好適に巻取り得るものとなる。加えて、テープを巻取軸部に巻き取る際、転写ヘッドにおいて偶発的に転写され得なかった転写物が、誤って変位案内機構に付着してしまうという不具合を有効に解消するためには、変位案内機構は、テープの裏面側から支持するものとすればよい。
【００１５】
そして巻回軸部を転写ヘッドへテープを送り出し得る巻出軸部とした場合には、変位案内機構を巻出軸から転写ヘッドまで好適にテープを送り出し得るものとすることが挙げられる。
【００１６】
斯かる構成を採用して、いわゆる横引き式の転写具を好適に構成するためには、転写ヘッドを、転写ヘッド及びテープが接し得る転写ヘッド接合線と、巻回軸部からテープが接合する巻回軸部接合線とが略直角をなすように設け、変位案内機構を、転写ヘッド接合線から巻回軸部接合線までテープを略直角に旋回させて案内し得るものとすることが望ましい。
【００１７】
特に、変位案内機構を利用して好適にテープを旋回させ得るものとするためには、転写ヘッド接合線がなす角度から巻回軸部接合線がなす角度までの間の所定角度でテープを案内し得る旋回補助部を設けたものとすればよい。
【００１８】
そして、上述のような構造は、転写テープとして、テープの表面側に修正剤を設けた修正テープとすることが好ましい。
【発明の効果】
【００１９】
本発明によれば、転写ヘッドを厚み方向において所望の位置に配し得る構成とすることができる。そうすることによって、転写ヘッドの厚み方向の位置を適宜設定することによって、転写具を構成する厚み寸法を有効に減らすことも可能となり、よりコンパクトな転写具を構成することができる。
【発明を実施するための最良の形態】
【００２０】
以下、本発明の一実施の形態について図面を参照して説明する。
【００２１】
本実施形態に係る転写具Ａを図１及び図２に示す。この転写具Ａは、例えば紙などの転写対象物Ｐへ、テープｔの表面側に修正剤ｓを転写する、いわゆる修正テープＴを筐体３内に保持しているものである。
【００２２】
またこの転写具Ａは図２に示すように、筐体３の厚み方向に対して修正剤ｓが平行に引き出される、いわゆる横引き式のものとなっている。そして、転写具Ａは図１、図２及び図３に示すように、筐体３と、筐体３に取り付けた転写ヘッド４と、筐体３に収容されている巻回軸部２とを主に有しているものである。
【００２３】
ここで、本実施形態に係る転写具Ａは、筐体３に取り付けられ転写物たる修正剤ｓを転写対象物Ｐへ転写し得るようにテープｔを支持する転写ヘッド４を、巻回軸部２において巻回したテープｔの幅方向中心によってなる仮想の平面Ｘ（図４及び図５）よりも位相を変位させた位置に位置付けたものとしている。加えて、筐体３の内部において巻回軸部２と転写ヘッド４との間でテープｔを案内する変位案内機構１を具備することを特徴とするものである。
【００２４】
以下、転写具Ａにおける各構成要素について詳述する。
【００２５】
筐体３は、半割構造をなす支持筐体３１と、カバー筐体３２とを有し、これら支持筐体３１とカバー筐体３２との間に転写ヘッド４を挟み込む構成としている。そして支持筐体３１側において巻回軸部２を支持するとともに、図示しないが後述する巻出側偏向軸１５を形成している。なおカバー筐体３２においては、後述する巻取側偏向軸１２を形成している。
【００２６】
巻回軸部２は、巻取軸部２１と、巻出軸部２４と、これら巻取軸部２１の回転と巻出軸部２４の回転とを連動させるためのベルト２７とを有しているものである。巻取軸部２１は、支持筐体３１に回転可能に支持された巻取コア２３と、巻取コア２３に取り付け且つベルト２７を掛け回した巻取プーリ２２とを有している。ここで、本実施形態では、これら巻取コア２３、巻取プーリ２２とともに回転する巻回した状態にあるテープｔをも含んで、軸芯周りに回転する部分全体を巻取軸部２１と称している。巻出軸部２４は、支持筐体３１に支持された巻出コア２６と、巻出コア２６に取り付けられ且つベルト２７を掛け回した巻出プーリ２５とを主に有している。ここで上述の巻取軸部２１と同じく、本実施形態ではこれら巻出コア２６及び巻出プーリ２５とともに回転する修正テープＴをも含んで、軸芯周りに回転する部分全体を巻出軸部２４と称している。そしてベルト２７は、具体的には巻出プーリ２５及び巻取プーリ２２に架け渡すことによって、巻出軸部２４の回転と、巻取軸部２１の回転とを連動させているものである。
【００２７】
転写ヘッド４は、図３、図４及び図５に示すように、転写テープｔを転写対象物Ｐに接触させ得る先端の転写位置４１、巻取軸部２１側においてテープｔを支持する巻取側支持位置４２、及び巻出軸部２４側で修正テープＴを支持する巻出側支持位置４３に少なくともテープｔに接している。そして本実施形態では、図４に示すように、この転写位置４１が、巻回軸部２におけるテープｔの幅方向中心によって形成される仮想の平面Ｘから図示の上面視において、位相を異ならせて構成しているものである。これらの位置においてテープｔに接する線は、それぞれ同じ方向をなす転写ヘッド接合線４ａとして表わされる。本実施形態に係る転写具Ａは、上述の通り所謂横引き式の転写具Ａとなっているため、この転写ヘッド接合線４ａは、図２、図３及び図６に示すように、巻回軸部２からテープｔが接合する巻回軸部接合線２ａに対して略直角をなしたものとなっている。なお本実施形態では、巻回軸部接合線２ａは巻回軸部の軸芯方向と略同一の角度をなしたものとなっている。
【００２８】
しかして本実施形態に係る転写具Ａは、以下に詳述するように、転写ヘッド４から巻回軸部２へテープｔ或いは修正テープＴを案内する変位案内機構１を具備しているものである。この変位案内機構１は、図３、図４、図５及び図６に示すように、転写ヘッド接合線４ａから巻回軸部接合線２ａまでテープｔを略直角に旋回させて案内し得るものとしている巻取側偏向支持部１１と、巻出側偏向支持部１４とを有している。
【００２９】
巻出側偏向支持部１４は、図３に示すように、巻出軸部２４から転写ヘッド４の巻出側支持位置４３まで位相を異ならせてテープｔを案内し得るものである。具体的には、巻出側偏向軸１５によって主に構成されており、当該巻出側偏向軸１５上に形成された巻出側偏向支持面１６において裏面側から修正テープＴを支持している。そして、巻出側偏向支持部１４によって、巻出軸部２４の周縁に沿ってテープｔを案内したものとなっている。また、この巻出側偏向支持部１４は、位相を異ならせてテープｔを案内するのみならず、図３に示すように円筒状に構成した巻出側偏向軸１５が伸びる方向を示す伸長線１５ａが、巻回軸部接合線２ａに対してαの角度を成すように構成している。そうすることにより巻出側偏向軸１５は、巻回軸部接合線２ａから所定の角度αをなしてテープｔを案内し得る、本発明に係る旋回補助部としても機能している。
【００３０】
巻取側偏向支持部１１は、転写ヘッド４から巻取軸部２１までテープｔを案内し得るものである。具体的には、巻回軸部２の軸方向から図５、図６にθで示す偏向した角度でテープｔを裏面側から折返し支持し得る巻取側偏向支持面１３を有するものとしている。具体的には巻取側偏向支持部１１は、巻取側偏向支持面１３を有する、１本の軸である巻取側偏向軸１２によって構成されている。なお、巻取側偏向支持部１１は、１本の巻取側偏向軸１２によって構成される態様に限られず、複数の軸によって構成する態様や、軸の形状をとらずに巻取側偏向支持面１３を形成し得るリブ等によっても構成することができる。また巻取側偏向支持部１１は、具体的には巻取側偏向軸１２で所定の角度、本実施形態では９０°以上の角度で折り返して巻取軸部２１へ案内するものとしている。また、図５に示すように、巻回軸部２におけるテープｔの幅方向端部を示す線Ｙを超えた位置に位置付けた転写ヘッド４の巻取側支持部の位置まで位相を異ならせてテープｔを案内するものとしている。そして、該巻取側偏向支持部１１は、図６に示すように、位相を異ならせてテープｔを案内するのみならず、巻回軸部接合線２ａから所定の角度θだけ偏向させてテープｔを案内し得る、本発明に係る旋回補助部としても機能している。
【００３１】
ここで、本実施形態では、変位案内機構１を、巻回軸部２から転写ヘッド４までテープｔの幅方向における一端側を案内する一端側案内寸法ａ＋ｂと他端側を案内する他端側案内寸法ａ’＋ｂ’とが等しくなるように構成している。以下に、斯かる構成を、特に巻取側偏向支持部１１の構成を同図に示して詳述する。
【００３２】
図６に示すように、巻取側偏向支持面１３が面する角度は、巻回軸部接合線２ａから所定の角度θだけ偏向させている。具体的には、この巻取側偏向軸１２がなす角度θは、転写ヘッド接合線４ａが延びる方向に対しても巻回軸部接合線２ａが延びる方向に対しても傾斜させて、言い換えれば斜め方向に傾斜させて設けたものとしている。また同図において、一端側ヘッド案内寸法ａは、転写ヘッド４の巻取側支持位置４２から巻取軸偏向支持面１３の端部までテープｔの一端側を案内する寸法である。一端側巻取案内寸法ｂは、上記巻取軸偏向支持面１３の端部から巻取軸部２１における巻回軸部接合線２ａまでテープｔの一端側を案内する寸法である。そして一端側ヘッド案内寸法ａと一端側巻取案内寸法ｂとの和を、一端側案内寸法ａ＋ｂとしている。一方、他端側ヘッド案内寸法ａ’は、転写ヘッド４の巻取側支持位置４２から巻取軸偏向支持面１３の端部までテープｔの他端側を案内する寸法である。他端側巻取案内寸法ｂ’は、上記巻取軸偏向支持面１３の端部から巻取軸部２１における巻回軸部接合線２ａまでテープｔの他端側を案内する寸法である。そして他端側ヘッド案内寸法ａ’と一端側巻取案内寸法ｂ’との和を、他端側案内寸法ａ’＋ｂ’としている。そして本実施形態では、これら一端側案内寸法ａ＋ｂと、他端側案内寸法ａ’＋ｂ’とが等しくなるように角度θを設定している。
【００３３】
斯かる構成により、転写ヘッド４の巻取側支持位置４２から位相を異ならせて巻き取る際にテープｔの一端側或いは他端側だけが弛む状態となって巻取軸部２１に巻き取られてしまうという不具合を有効に防止し得るものとなっている。
【００３４】
以上のような構成とすることにより、本実施形態に係る転写具Ａは、巻回軸部２において巻回したテープｔの幅方向中心によってなる仮想の平面Ｘよりも位相を変位させた位置に位置付けた転写ヘッド４と、巻回軸部２から転写ヘッド４までテープｔを案内する変位案内機構１とを具備しているので、転写ヘッド４を厚み方向において所望の位置、すなわち本実施形態では筐体３の厚みの範囲にはみ出さないように転写ヘッド４を配し得るものとなっており、結果として転写具Ａを構成する厚み寸法を有効に削減させた、コンパクトな転写具Ａを構成し得ている。
【００３５】
そして斯かる位置に転写ヘッド４を位置付けるために、図５に示すように、巻回軸部２におけるテープｔの幅方向端部を示す線Ｙを超えた位置まで位相を異ならせてテープｔを案内したものとしている。
【００３６】
ここで特に本実施形態では、転写ヘッド４を上述した仮想の平面Ｘから位相をずらせて設けるべく、巻回軸部２と転写ヘッド４との間で好適にテープｔの位相をずらせたものとし、転写ヘッド４の位置に応じてテープｔを好適に案内するために、巻回軸部２の軸方向から偏向した角度でテープｔを折返し支持し得る巻取側偏向支持面１３並びに巻出側偏向支持面１６を有する巻取側偏向支持部１１及び巻出側偏向支持部１４を設けている。斯かる構成により、テープｔの一端側或いは他端側が弛むことを有効に回避することができるのみならず、巻回軸部２と転写ヘッド４との距離を小さく構成することができる。結果として、筐体３自体のサイズのコンパクト化に寄与し得たものとなっている。
【００３７】
具体的には、テープｔを所定角度折り返して案内し得る巻取側偏向軸１２並びに巻出側偏向軸１５を設けることによって、本実施形態では巻取側偏向支持部１１及び巻出側偏向支持部１４を好適に構成している。
【００３８】
ここで通常、巻回軸部２の軸芯方向に平行する方向にのみ折り返す軸を採用している場合では、転写ヘッド４の巻取側支持位置４２から位相を異ならせて巻き取る際に、テープｔの一端側或いは他端側だけが弛む状態となって巻取軸部２１に巻き取られてしまうという不具合が生じるものとなってしまう。ここで本実施形態では、図６に巻取側偏向支持部１１を示す通り、巻取側偏向支持部１１を、偏向支持部一端側案内寸法ａ＋ｂと他端側案内寸法ａ’＋ｂ’とが等しくなるように変位案内機構１を構成しているので、斯かる不具合を有効に防止し得るものとなっている。
【００３９】
また本実施形態では、巻取側偏向軸１２で９０°以上に折り返す構成や、テープｔを巻出軸部２４の周縁に沿って案内する巻出側偏向軸１５の構成を採用することにより、筐体３内の空間を有効に利用しながらテープｔを案内し得る構成として、筐体３自体のコンパクト化に供するものとなっている。ここで、例えば巻回軸部２がベルト２７を用いずに巻取軸部２１側及び巻出軸部２４側にギアを設け噛合わせて連動させる構成を採用すれば、巻取軸部２１は図示の構成とは逆方向に回転することとなるが、斯かる構成に対しても、巻取側偏向軸１２においてテープｔを折り返す角度を適宜設定することによって、同様の作用効果を奏するものとなっている。
【００４０】
そして巻回軸部２を転写ヘッド４に支持されたテープｔを巻き取り得る巻取軸部２１とした場合には、変位案内機構１は転写ヘッド４から巻取軸までテープｔを案内し得るものとすることによって、転写物を転写した後のテープｔを好適に巻取り得るものとなる。また巻出軸部２４においても、巻出側偏向支持部１４の構成によって、巻出軸から転写ヘッド４まで好適にテープｔを送り出し得るものとなっている。
【００４１】
加えて、巻取側偏向支持面１３においても、テープｔの裏面側から支持する構成としているので、転写ヘッド４において転写対象物Ｐに偶発的に転写されずに巻取軸部２１へテープｔとともに案内されてしまう修正剤ｓが、誤って巻取側偏向支持面１３に付着してしまうという不具合を有効に解消している。
【００４２】
そして本実施形態では、転写ヘッド接合線４ａと巻回軸部接合線２ａとが略直角をなすように設け、変位案内機構１を、転写ヘッド接合線４ａから巻回軸部接合線２ａまでテープｔを略直角に旋回させて案内させることによって、いわゆる横引き式の転写具Ａを好適に構成し得ている。
【００４３】
特に本実施形態では、変位案内機構１を、転写ヘッド接合線４ａがなす角度から巻回軸部接合線２ａがなす角度までの間の所定角度でテープｔを案内し得る旋回補助部としても機能させているので、筐体３内の限られた空間内で好適にテープｔを旋回させ得るものとしている。
【００４４】
以上、本発明の実施形態について説明したが、各部の具体的な構成は、上述した実施形態のみに限定されるものではなく、本発明の趣旨を逸脱しない範囲で種々変形が可能である。
＜変形例＞
上記実施形態では特に図６において、巻回軸部接合線２ａが延びる方向と巻回軸部２の軸芯方向とを等しく設定した上で、巻取側偏向支持部１１が一端側案内寸法ａ＋ｂと他端側案内寸法ａ'＋ｂ'とを等しくする構成を開示したが、同様にテープｔの弛みを回避し得る構成として、以下の構成を挙げることができる。
【００４５】
具体的に説明すると、図７に示す変形例は、巻取軸部２がテープｔを巻き取る際に、巻取軸部２１の軸芯方向を示す線２１ａと、巻取軸部２１がテープｔに接する巻回軸部接合線２ａ'の延びる方向とが、角度βを成した構成となっている。
【００４６】
斯かる構成により、テープｔの一端側を案内し得る一端側案内寸法ａ＋ｂと他端側を案内し得る他端側案内寸法ａ'＋ｂ'との間が等しくならず、「差」が生ずることとなるが、テープｔの一端側又は他端側の何れかが上述の「差」の寸法だけ多く巻取軸部２１に巻回することにより、この「差」を相殺する態様となるため、テープｔの一端側或いは他端側に生じ得る弛みを有効に回避し得たものとなっている。
【００４７】
例えば、上記実施形態において巻取軸部と巻出軸部との連動をプーリを用いて実現したが、当該連動のための手段はプーリやベルトを採用した構成に限られず、ギアを用いたものとしても良い。また、転写具の不使用時に不意に修正剤が他の箇所へ付着する不具合を回避する為に、転写ヘッドに少なくとも転写位置を被覆し得るカバーを設けたものとしてもよい。
【００４８】
その他、各部の具体的構成についても上記実施形態に限られるものではなく、本発明の趣旨を逸脱しない範囲で種々変形が可能である。
【図面の簡単な説明】
【００４９】
【図１】本発明の一実施形態に係る外観図。
【図２】同上。
【図３】同実施形態に係る構成説明図。
【図４】同実施形態に係る模式的な説明図。
【図５】同構成説明図。
【図６】同作用説明図。
【図７】本実施形態の変形に斯かる作用説明図。
【符号の説明】
【００５０】
１…変位案内機構
１１…偏向支持部、旋回補助部（巻取側偏向支持部１１）
１２…偏向軸（巻取側偏向軸１２）
１３…偏向支持面（巻取側偏向支持面）
１４…偏向支持部、旋回補助部（巻出側偏向支持部１４）
１５…偏向軸（巻出側偏向軸１５）
１６…偏向支持面（巻出側偏向支持面１６）
２…巻回軸部
２ａ、２ａ'…巻回軸部接合線
２１…巻取軸部
２４…巻出軸部
３…筐体
４…転写ヘッド
４ａ…転写ヘッド接合線
Ａ…転写具
ａ＋ｂ…一端側案内寸法
ａ’＋ｂ’…他端側案内寸法
ｓ…転写物、修正剤（修正剤）
ｔ…テープ
Ｔ…転写テープ、修正テープ（修正テープ）
Ｐ…転写対象物
Ｘ…仮想の平面
【図１】
2008080659.tif 000003
【図２】
2008080659.tif 000004
【図３】
2008080659.tif 000005
【図４】
2008080659.tif 000006
【図５】
2008080659.tif 000007
【図６】
2008080659.tif 000008
【図７】
2008080659.tif 000009